【手続補正書】
【提出日】平成25年11月19日(2013.11.19)
【手続補正１】
【補正対象書類名】特許請求の範囲
【補正対象項目名】全文
【補正方法】変更
【補正の内容】
【特許請求の範囲】
【請求項１】
撮像光学系により得られた被写体像を撮像する撮像手段と、
前記撮像光学系の駆動を制御する駆動制御手段と、
音声を取得する音声取得手段と、
前記音声取得手段により得られた音声信号に基づいて、前記駆動制御手段による前記撮像光学系の駆動開始の指示に応じた所定の区間のうち、前記撮像光学系の駆動による雑音に対応する音声が含まれている雑音区間を決定する決定手段と、
前記決定手段により決定された雑音区間の音声信号から雑音を低減する音声処理手段と、
を有することを特徴とする撮像装置。
【請求項２】
前記音声処理手段は、前記雑音区間の音声信号を、前記雑音区間の前または後の音声信号に基づいて生成された予測信号を用いて処理することを特徴とする請求項１に記載の撮像装置。
【請求項３】
前記音声処理手段は、前記雑音区間の音声信号を、前記雑音区間の前または後の音声信号を用いて線形予測処理により生成された予測信号を用いて処理することを特徴とする請求項１に記載の撮像装置。
【請求項４】
前記撮像光学系の駆動開始の指示のタイミングを示す駆動タイミング信号を記録媒体に記録することを特徴とする請求項１に記載の撮像装置。
【請求項５】
前記所定の区間が、前記撮像光学系の種類に応じて決定されることを特徴とする請求項１に記載の撮像装置。
【請求項６】
前記撮像光学系を予め駆動させて、前記所定の区間を決定する手段を有することを特徴とする請求項５に記載の撮像装置。
【請求項７】
前記決定手段は、前記駆動開始の指示からの所定の区間の音声信号に、前記撮像光学系の駆動による雑音に対応する周波数の成分の所定のレベルを越えている区間を前記雑音区間と決定することを特徴とする請求項１から６の何れか１項に記載の撮像装置。
【請求項８】
前記所定のレベルが、前記撮像光学系の種類に応じて異なることを特徴とする請求項７に記載の撮像装置。
【請求項９】
駆動手段を有する音声処理装置であって、
前記駆動手段の駆動を制御する駆動制御手段と、
音声を取得する音声取得手段と、
前記音声取得手段により得られた音声信号に基づいて、前記駆動制御手段による前記駆動手段の駆動開始の指示に応じた所定の区間のうち、前記駆動手段の駆動による雑音に対応する音声が含まれている雑音区間を決定する決定手段と、
前記決定手段により決定された雑音区間の音声信号から雑音を低減する音声処理手段と、
を有することを特徴とする音声処理装置。
【請求項１０】
撮像光学系により得られた被写体像を撮像する撮像手段と、音声取得手段とを具備する撮像装置を制御する方法であって、
前記撮像光学系の駆動を制御する駆動制御ステップと、
音声を前記音声取得手段により取得する音声取得ステップと、
前記音声取得手段により得られた音声信号に基づいて、前記駆動制御ステップにおける前記撮像光学系の駆動開始の指示に応じた所定の区間のうち、前記撮像光学系の駆動による雑音に対応する音声が含まれている雑音区間を決定する決定ステップと、
前記決定ステップにより決定された雑音区間の音声信号から雑音を低減する音声処理ステップと、
を有することを特徴とする撮像装置の制御方法。
【請求項１１】
音声取得手段及び駆動手段を有する音声処理装置における音声処理方法であって、
前記駆動手段の駆動を制御する駆動制御ステップと、
音声を前記音声取得手段により取得する音声取得ステップと、
前記音声取得手段により得られた音声信号に基づいて、前記駆動制御ステップにおける前記駆動手段の駆動開始の指示に応じた所定の区間のうち、前記駆動手段の駆動による雑音に対応する音声が含まれている雑音区間を決定する決定ステップと、
前記決定ステップにより決定された雑音区間の音声信号から雑音を低減する音声処理ステップと、
を有することを特徴とする音声処理方法。
【手続補正２】
【補正対象書類名】明細書
【補正対象項目名】発明の名称
【補正方法】変更
【補正の内容】
【発明の名称】撮像装置とその制御方法並びに音声処理装置及び方法
【手続補正３】
【補正対象書類名】明細書
【補正対象項目名】０００１
【補正方法】変更
【補正の内容】
【０００１】
本発明は、撮像装置とその制御方法並びに音声処理装置及び方法に関し、より具体的には、デジタルコンパクトカメラ及びデジタル一眼レフカメラ等の、録音装置を有する撮像装置とその制御方法並びに音声処理装置及び方法に関する。
【手続補正４】
【補正対象書類名】明細書
【補正対象項目名】０００８
【補正方法】変更
【補正の内容】
【０００８】
本発明は、このような不都合を解消し、適切に雑音を除去できる撮像装置とその制御方法並びに音声処理装置及び方法を提示することを目的とする。
【手続補正５】
【補正対象書類名】明細書
【補正対象項目名】０００９
【補正方法】変更
【補正の内容】
【０００９】
本発明に係る撮像装置は、撮像光学系により得られた被写体像を撮像する撮像手段と、前記撮像光学系の駆動を制御する駆動制御手段と、音声を取得する音声取得手段と、前記音声取得手段により得られた音声信号に基づいて、前記駆動制御手段による前記撮像光学系の駆動開始の指示に応じた所定の区間のうち、前記撮像光学系の駆動による雑音に対応する音声が含まれている雑音区間を決定する決定手段と、前記決定手段により決定された雑音区間の音声信号から雑音を低減する音声処理手段と、を有することを特徴とする。
本発明に係る音声処理装置は、駆動手段を有する音声処理装置であって、前記駆動手段の駆動を制御する駆動制御手段と、音声を取得する音声取得手段と、前記音声取得手段により得られた音声信号に基づいて、前記駆動制御手段による前記駆動手段の駆動開始の指示に応じた所定の区間のうち、前記駆動手段の駆動による雑音に対応する音声が含まれている雑音区間を決定する決定手段と、前記決定手段により決定された雑音区間の音声信号から雑音を低減する音声処理手段と、を有することを特徴とする。
本発明に係る撮像装置の制御方法は、撮像光学系により得られた被写体像を撮像する撮像手段と、音声取得手段とを具備する撮像装置を制御する方法であって、前記撮像光学系の駆動を制御する駆動制御ステップと、音声を前記音声取得手段により取得する音声取得ステップと、前記音声取得手段により得られた音声信号に基づいて、前記駆動制御ステップにおける前記撮像光学系の駆動開始の指示に応じた所定の区間のうち、前記撮像光学系の駆動による雑音に対応する音声が含まれている雑音区間を決定する決定ステップと、前記決定ステップにより決定された雑音区間の音声信号から雑音を低減する音声処理ステップと、を有することを特徴とする。
本発明に係る音声処理方法は、音声取得手段及び駆動手段を有する音声処理装置における音声処理方法であって、前記駆動手段の駆動を制御する駆動制御ステップと、音声を前記音声取得手段により取得する音声取得ステップと、前記音声取得手段により得られた音声信号に基づいて、前記駆動制御ステップにおける前記駆動手段の駆動開始の指示に応じた所定の区間のうち、前記駆動手段の駆動による雑音に対応する音声が含まれている雑音区間を決定する決定ステップと、前記決定ステップにより決定された雑音区間の音声信号から雑音を低減する音声処理ステップと、を有することを特徴とする。
【手続補正６】
【補正対象書類名】明細書
【補正対象項目名】００１０
【補正方法】削除
【補正の内容】